(57)【要約】【課題】  加熱調理器において、屑受皿の後端部が屑を回収するための回収部材を通過する前に、屑受部材を収納位置に戻すことがある。その場合、屑収容部材に収容されなかった屑が屑受皿の後端部に残ってしまうため、屑受部材を収納位置に戻す途中で、オーブントースタの底面に落ちてしまう恐れがある。【解決手段】  本発明に係る加熱調理器は、加熱調理器の内部に、載置部材、ヒータ、載置部材の下方に配置された屑受部材、屑受部材上の屑を回収するための回収部材、及び上方に開口部を有する第１の屑収容部材を備えた加熱調理器において、屑受部材は、加熱調理器から引き出し可能であり、回収部材は、第１の屑収容部材の上方に設けられた第１の回収部材、及び第１の回収部材よりも後方に設けられた第２の回収部材を含み、第２の回収部材は、屑受部材の移動に伴って可動することを特徴としている。【選択図】図２
2014137197.tif 000002
【特許請求の範囲】
【請求項１】
加熱調理器の内部に、載置部材、ヒータ、前記載置部材の下方に配置された屑受部材、該屑受部材上の屑を回収するための回収部材、及び上方に開口部を有する第１の屑収容部材を備えた加熱調理器において、
前記屑受部材は、前記加熱調理器から引き出し可能であり、
前記回収部材は、前記第１の屑収容部材の上方に設けられた第１の回収部材、及び前記第１の回収部材よりも後方に設けられた第２の回収部材を含み、
前記第２の回収部材は、前記屑受部材の移動に伴って可動することを特徴とする加熱調理器。
【請求項２】
前記第２の回収部材は、前記第１の屑収容部材の上方に設けられることを特徴とする請求項１に記載の加熱調理器。
【請求項３】
前記加熱調理器は、上方に開口部を有する第２の屑収容部材、及び第３の回収部材を備え、
前記第２の屑収容部材は、前記第１の屑収容部材よりも後方に設けられており、
前記第３の回収部材は、前記第２の屑収容部材の上方に設けられることを特徴とする請求項１または２に記載の加熱調理器。
【請求項４】
前記屑受部材は、側面に制御板を有し、
前記第２の回収部材は、前記制御板によって高さが変えられることを特徴とする請求項１から３のいずれかに記載の加熱調理器。
【発明の詳細な説明】
【技術分野】
【０００１】
本発明は、オーブントースタ等の加熱調理器に関する。
【背景技術】
【０００２】
加熱調理器の一種としてオーブントースタがあるが、パン屑等が調理室の底面に落ちることを防止するために、屑受けを備えたものが普及している。このようなオーブントースタの構造として次のものが開示されている。
【０００３】
図１１は、特許文献１に示されたオーブントースタの側面断面図である。オーブントースタ１０１は金属製のトースタ本体１０２を備える。トースタ本体１０２の前壁には開口部１０３が形成され、開口部１０３はドア１０４によって開閉される。トースタ本体１０２の内部には調理室１０５を構成し、調理室１０５にはパン等の被調理物１０６を載せる棚としての焼網１０７、１本の上部ヒータ１０９、前後一対の下部ヒータ１１０ａ及び１１０ｂを設けている。焼網１０７の後端にあるガイド突起が摺動可能に引っ掛かるガイド孔１０８が形成され、焼網１０７が前後にスライドするようになっている。
【０００４】
また、調理室１０５には、上部ヒータ１０９、下部ヒータ１１０ａ及び１１０ｂの熱を被加熱物１０６に向けて反射させるための反射板１１１が配置されている。反射板１１１は、下部ヒータ１１０ａ及び１１０ｂの下側に略水平に位置する底側反射部１１１ａ、上部ヒータ１０９の後側に起立して位置する後側反射部１１１ｂ、並びに、底側反射部１１１ａ及び後側反射部１１１ｂを結ぶ円弧状に彎曲された連結部１１１ｃを一体に備えている。反射板１１１の底側反射部１１１ａの先端部は開口部１０３の下部に臨んでおり、この先端部には全長に亘って指掛け用の把手１１２が取り付けられている。把手１１２を把持して手前に引っ張ると、反射板１１１が反射板ガイドに案内されて開口部１０３の下部から略水平に引き出されるようになっている。
【０００５】
さらに、調理室１０５には、反射板１１１の引き出し端部に位置して、清掃具としてのスクレーパ１１３が配置されている。スクレーパ１１３は、反射板１１１を調理室１０５から引き出す際に、この反射板１１１上に落下したパン屑等の落下物１１４を掻き落とすためのものである。スクレーパ１１３の下方に対応した位置には、スクレーパ１１３が掻き落とした落下物１１４を受ける屑受け１１５が配置されている。屑受け１１５の開口部は反射板１１１によって塞がれており、この開口部の前縁がスクレーパ１１３の先端縁部の真下に位置されている。
【０００６】
そして、把手１１２を手前に引っ張って反射板１１１は開口部１０３から引き出すにつれ、反射板１１１の底側反射部１１１ａ上に落下した落下物１１４は、スクレーパ１１３によって掻き集められる。反射板１１１の引き出しに伴って、反射板１１１の後端となる後側反射部１１１ｂの上縁がスクレーパ１１３の位置付近まで達すると、屑受け１１５の開口部が開き始めて、スクレーパ１１３によって塞き止められていた落下物１１４が屑受け１１５に落下し始める。そして、反射板１１１の後端がスクレーパ１１３を通過すると、塞き止められていた落下物１１４が全て屑受け１１５に落下して収容される。
【先行技術文献】
【特許文献】
【０００７】
【特許文献１】実開平６−３２３５号公報
【発明の概要】
【発明が解決しようとする課題】
【０００８】
しかしながら、特許文献１に開示されたオーブントースタでは、屑受部材となる反射板の後端部が屑を回収するための回収部材となるスクレーバを通過する前に、屑受部材を収納位置に戻すことがある。その場合、屑収容部材となる屑受けに収容されなかった屑が屑受部材の後端部に残ってしまうため、屑受部材を収納位置に戻す途中で、オーブントースタの底面に落ちてしまう恐れがある。
【０００９】
本発明は、上記の問題に鑑みてなされたものであり、その目的は、屑受部材が回収部材を通過する前に収納位置に戻されても、屑が底面に落下することを防ぐことができる加熱調理器を提供することにある。
【課題を解決するための手段】
【００１０】
本発明に係る加熱調理器は、加熱調理器の内部に、載置部材、ヒータ、載置部材の下方に配置された屑受部材、屑受部材上の屑を回収するための回収部材、及び上方に開口部を有する第１の屑収容部材を備えた加熱調理器において、屑受部材は、加熱調理器から引き出し可能であり、回収部材は、第１の屑収容部材の上方に設けられた第１の回収部材、及び第１の回収部材よりも後方に設けられた第２の回収部材を含み、第２の回収部材は、屑受部材の移動に伴って可動することを特徴としている。
【００１１】
本発明の一実施態様においては、第２の回収部材は、第１の屑収容部材の上方に設けられても良い。
【００１２】
本発明の一実施態様においては、加熱調理器は、上方に開口部を有する第２の屑収容部材、及び第３の回収部材を備え、第２の屑収容部材は、第１の屑収容部材よりも後方に設けられており、第３の回収部材は、第２の屑収容部材の上方に設けられても良い。
【００１３】
本発明の一実施態様においては、屑受部材は、側面に制御板を有し、第２の回収部材は、制御板によって高さが変えられても良い。
【発明の効果】
【００１４】
本発明に係る加熱調理器は、屑受部材が回収部材を通過する前に収納位置に戻されても、屑が底面に落下することを防ぐことができる。
【図面の簡単な説明】
【００１５】
【図１】第１の実施形態のオーブントースタを示す概略斜視図である。
【図２】第１の実施形態のオーブントースタを示す側面方向から見た模式断面図である。
【図３】第１の実施形態のオーブントースタを示す上面方向から見た模式断面図である。
【図４】第１の実施形態のオーブントースタにおいて、屑受皿を収納位置から引き出して元に戻すまでの屑の状態を説明するための図である。
【図５】第１の実施形態のオーブントースタの比較例において、屑受皿を収納位置から引き出して元に戻すまでの屑の状態を説明するための図である。
【図６】第２の実施形態のオーブントースタを示す側面方向から見た模式断面図である。
【図７】第２の実施形態のオーブントースタにおいて、屑受皿を収納位置から引き出して元に戻すまでの屑の状態を説明するための図である。
【図８】第３の実施形態のオーブントースタを示す側面方向から見た模式断面図である。
【図９】第３の実施形態のオーブントースタを示す上面方向から見た模式断面図である。
【図１０】第３の実施形態のオーブントースタにおいて、屑受皿を収納位置から引き出して元に戻すまでの屑の状態を説明するための図である。
【図１１】従来技術のオーブントースタの側面断面図である。
【発明を実施するための形態】
【００１６】
〔実施形態１〕
第１の実施形態に係るオーブントースタ１について、図面を参照して説明すれば、以下の通りである。
【００１７】
図１は、本実施形態に用いられるオーブントースタ１を示す概略斜視図である。
【００１８】
オーブントースタ１は、直方体状の筐体２及び前面カバー３を備える。前面カバー３には把手４を有するドア５が設けられる。また、前面カバー３は前面カバー３の右側の上部から中部にかけて、温度調節用及び時間設定用等のスイッチ・ダイヤル類３ａを有している。
【００１９】
筐体２の下部は底板７で底面が支持されており、その上にパン屑等を受け取るための屑受部材となる屑受皿８が設けられる。
【００２０】
図２は、本実施形態に用いられるオーブントースタ１を示す側面方向から見た模式断面図である。また、図３は、本実施形態に用いられるオーブントースタ１を示す上面方向から見た模式断面図である。
【００２１】
把手４を有するドア５は、下端側が回動軸６の周りに回動して開閉するようになっている。ドア５が開いた状態を点線で図示している。筐体２内部の中段位置には、被調理物を載せる載置部材となる焼網９が取り付けられている。そして、本体内部の上段及び下段にはヒータ１０が取り付けられており、焼網９上に載置された食パン等の被調理物に対して加熱処理を行う。
【００２２】
屑受皿８は、焼網９上に載置された被調理物から生じたパン屑等の屑１５が筐体２の底面７に落下しないように設けられたものであり、前面カバー３の下部である筐体２の収納位置から引き出し可能となっている。また、屑受皿８には、後述する可動ブラシの高さを可変するための制御板８ａが側面に設けられている。
【００２３】
屑受皿８の引き出し端部側には、第１の回収部材となる第１の固定ブラシ１２、第１の固定ブラシ１２を筐体２に固定させるための第１の固定部材１２ａが設けられている。尚、第１の固定ブラシ１２は、その先端部１２ｂが屑受皿８と接触しており、屑１５を回収するための清掃具となる。
【００２４】
第１の回収部材の後方には、第２の回収部材となる可動ブラシ１３、及び可動ブラシ１３を回動させるための回動軸１３ａが設けられる。尚、可動ブラシ１３は屑受皿８の移動に伴って回動するものであり、回動軸１３ａで回動したときに可動ブラシ１３の先端部１３ｂが屑受皿８と接触する高さとなって、屑１５を回収するための回収部材となる。
【００２５】
第１の固定ブラシ１２の下方には、上方に開口部を有する第１の屑収容部材となる第１の屑収容箱１４が設けられる。また、第１の屑収容箱１４の開口部の前縁は、第１の固定ブラシ１２の先端部１２ｂよりも前側に位置しており、屑１５が漏れずに収容できるようにしている。尚、第１の屑収容箱１４の開口部の前縁は、第１の固定ブラシ１２の先端部１２ｂの真下に位置していても良い。さらに、第１の屑収容箱１４は、収容した屑１５を捨てることができるように底面７から取り外し可能となっている。さらに、第１の屑収容箱１４は、収容した屑１５の状態を視認できるように形成することが好ましい。例えば、第１の屑収容箱１４を透明部材で形成したり、視認窓を設ければ良い。
【００２６】
筐体２の４隅には脚１１が設けられる。
【００２７】
図３に示すように、第１の固定ブラシ１２の横幅Ｂは、屑受皿８の横幅Ａと同じ幅となっている。そのため、屑受皿８を収納位置から手前に引き出す場合、制御板８ａが第１の固定ブラシ１２に引っ掛かることなく、屑受皿８を引き出せる。尚、第１の固定ブラシ１２の横幅Ｂは、屑受皿８の横幅Ａ以下の幅であれば良い。
【００２８】
可動ブラシ１３の横幅Ｃは、屑受皿８の横幅Ａより大きい幅となっている。そのため、屑受皿８を収納位置から手前に引き出す場合、引き出し方向で制御板８ａが存在する箇所では、可動ブラシ１３は回動せずに制御板８ａの上に位置する。一方で、屑受皿８を手前に引き出して制御板８ａが可動ブラシ１３よりも手前に来たときには、可動ブラシ１３は第１の固定ブラシ１２とほぼ同じ向きに回動する。尚、第１の固定ブラシ１２とほぼ同じ向きに回動した可動ブラシ１３は、その先端部１３ｂが屑受皿８に接触しており、屑１５を回収することができる。
【００２９】
図４は、本実施形態に用いられるオーブントースタ１において、屑受皿８を収納位置から引き出して元に戻すまでの屑１５の状態を説明するための図である。（ａ）〜（ｅ）の順番に時系列での状態を示している。
【００３０】
図４（ａ）は、屑受皿８が筐体２の収納位置に収納された状態を示している。第１の屑収容箱１４は屑受皿８で塞がれており、可動ブラシ１３は回動せずに制御板８ａの上に位置した状態となっている。屑受皿８の上には屑１５が落下している。
【００３１】
図４（ｂ）は、屑受皿８が筐体２の収納位置から途中まで引き出された状態を示している。第１の屑収容箱１４の開口部は屑受皿８で塞がれており、可動ブラシ１３は回動せずに制御板８ａの上に位置した状態となっている。屑１５は、屑受皿８の引き出しに伴って第１の固定ブラシ１２によって回収されている。
【００３２】
図４（ｃ）は、図４（ｂ）の状態から屑受皿８の後端部が第１の固定具ブラシ１２を通過する手前まで、屑受皿８が引き出された状態を示している。第１の屑収容箱１４の開口部は屑受皿８で塞がれずに開口している部分があり、可動ブラシ１３は、制御板８ａが存在しない箇所にあるため、第１の固定ブラシ１２とほぼ同じ向きに回動した状態となっている。屑１５は、屑受皿８の引き出しに伴って第１の固定ブラシ１２によって回収され続けている。また、回収された屑１５は、屑受皿８の後端部までくると第１の屑収容箱１４に落とし込まれる。
【００３３】
尚、第１の固定ブラシ１２による屑１５の回収は、屑受皿８の引き出しが止まるまで続けられる。そして、屑受皿８の後端部が第１の固定ブラシ１２を通過するならば、全ての屑１５が第１の屑収容箱１４に落とし込まれる。しかし、屑受皿８の後端部が第１の固定ブラシ１２を通過する前に、屑受皿８を筐体２の収納位置に戻す様な使い方をされることが起こり得る。その場合、屑１５が屑受皿８の後端部に残っている。そこで、次に、屑受皿８の後端部が第１の固定ブラシ１２を通過する前に、屑受皿８が筐体２の収納位置に戻される場合について説明する。
【００３４】
図４（ｄ）は、図４（ｃ）の状態から筐体２の収納位置に屑受皿８が戻されるまでの途中の状態を示している。第１の屑収容箱１４の開口部は屑受皿８で塞がれており、可動ブラシ１３は第１の固定ブラシ１２とほぼ同じ向きを維持した状態となっている。屑受皿８には、図４（ｃ）の状態で第１の屑収容箱１４に収容されなかった屑１５が残っている。屑１５は、屑受皿８の戻りに伴って可動ブラシ１３によって制御板８ａの存在する箇所まで押し戻される。従って、屑受皿８の後端部に残っていた屑１５は、屑受皿８の後端部より前側となる制御板８ａの存在する箇所へ移動するため、屑受皿８が収納位置に戻って行く途中で、筐体２の底面７に落下することを防ぐことができる。
【００３５】
図４（ｅ）は、図４（ｄ）の状態から筐体２の収納位置に屑受皿８が戻された状態を示している。第１の屑収容箱１４の開口部は屑受皿８で塞がれており、可動ブラシ１３は制御板８ａの上に回動した状態となっている。屑１５は制御板８ａの存在する箇所に移動しており、屑受皿８の後端部には残らないため、屑１５が筐体２の底面７に落下することを防ぐことができる。
【００３６】
図５は、本実施形態に用いられるオーブントースタ１の比較例として、可動ブラシ１３を設けない場合の屑受皿８を収納位置から引き出して元に戻すまでの屑１５の状態を説明するための図である。（ａ）〜（ｅ）の順番に時系列での状態を示している。
【００３７】
図５（ａ）は、屑受皿８が筐体２の収納位置に収納された状態を示している。第１の屑収容箱１４は屑受皿８で塞がれた状態となっている。屑受皿８の上には屑１５が落下している。
【００３８】
図５（ｂ）は、屑受皿８が筐体２の収納位置から途中まで引き出された状態を示している。第１の屑収容箱１４の開口部は屑受皿８で塞がれた状態となっている。屑１５は、屑受皿８の引き出しに伴って第１の固定ブラシ１２によって回収されている。
【００３９】
図５（ｃ）は、図５（ｂ）の状態から屑受皿８の後端部が第１の固定具ブラシ１２を通過する手前まで、屑受皿８が引き出された状態を示している。第１の屑収容箱１４の開口部は屑受皿８で塞がれずに開口している部分がある状態となっている。屑１５は、屑受皿８の引き出しに伴って第１の固定ブラシ１２によって回収され続けている。また、回収された屑１５は、屑受皿８の後端部までくると第１の屑収容箱１４に落とし込まれる。
【００４０】
次に、屑受皿８の後端部が第１の固定ブラシ１２を通過する前に、屑受皿８が筐体２の収納位置に戻される場合について説明する。
【００４１】
図５（ｄ）は、図５（ｃ）の状態から筐体２の収納位置に屑受皿８が戻されるまでの途中の状態を示している。第１の屑収容箱１４の開口部は屑受皿８で塞がれた状態となっている。屑受皿８には、図５（ｃ）の状態で第１の屑収容箱１４に収容されなかった屑１５が残っている。ここで、屑１５は屑受皿８の後端部に残っているため、屑受皿８が収納位置に戻って行く途中で、筐体２の底面７に落下することが起こり得る。
【００４２】
図５（ｅ）は、図５（ｄ）の状態から筐体２の収納位置に屑受皿８が戻された状態を示している。第１の屑収容箱１４の開口部は屑受皿８で塞がれた状態となっている。屑１５は屑受皿８の後端部に残っているため、筐体２の底面７に落下することが起こり得る。
【００４３】
図４及び図５を比較すると明らかな様に、本実施形態に用いられるオーブントースタ１は、屑１５が筐体２の底面７に落下することを防ぐことができるという効果を有している。
【００４４】
尚、第１の固定ブラシ１２は１個に限定する必要はなく、複数個用いても良い。
【００４５】
また、可動ブラシ１３は１個に限定する必要はなく、複数個用いても良い。
【００４６】
さらに、第１の回収部材として第１の固定ブラシ１２を用いているが、それに限定する必要はなく、屑を回収できるものであれば良い。
【００４７】
さらに、第２の回収部材として可動ブラシ１３を用いているが、それに限定する必要はなく、屑を回収できるものであれば良い。
【００４８】
〔実施形態２〕
第２の実施形態に係るオーブントースタ１ａについて、図面を参照して説明すれば、以下の通りである。
【００４９】
図６は、本実施形態に用いられるオーブントースタ１ａを示す側面方向から見た模式断面図である。
【００５０】
本実施形態は、可動ブラシ２３が第１の屑収容箱１４の上方に設けられる点以外は実施形態１と同じである。より詳細に説明すると、可動ブラシ２３が回動してその先端部２３ｂが屑受皿８と接触したときに、可動ブラシ２３の先端部２３ｂが第１の屑収容箱１４の開口部の後縁よりも前側に位置している。屑受皿８の上に落下している屑１５は、焼網９に載置された被調理物から生じるため、焼網９の真下に落下することが多い。しかし、屑受皿８の後端部に屑１６が落下することも起こり得る。本実施形態では、可動ブラシ２３が回動してその先端部２３ｂが屑受皿８と接触する高さとなったときに、可動ブラシ２３の先端部２３ｂが第１の屑収容箱１４の開口部の後縁よりも前側に位置しているため、屑１６を第１の屑収容箱１４に収容できるようになっている。
【００５１】
図７は、本実施形態に用いられるオーブントースタ１ａにおいて、屑受皿８を収納位置から引き出して元に戻すまでの屑１５及び屑１６の状態を説明するための図である。（ａ）〜（ｅ）の順番に時系列での状態を示している。
【００５２】
図７（ａ）は、屑受皿８が筐体２の収納位置に収納された状態を示している。第１の屑収容箱１４は屑受皿８で塞がれており、可動ブラシ２３は回動せずに制御板８ａの上に位置した状態となっている。屑受皿８の上には屑１５及び屑１６が落下している。
【００５３】
図７（ｂ）は、屑受皿８が筐体２の収納位置から途中まで引き出された状態を示している。第１の屑収容箱１４の開口部は屑受皿８で塞がれており、可動ブラシ２３は回動せずに制御板８ａの上に位置した状態となっている。第１の固定ブラシ１２は、屑受皿８の引き出しに伴って進んできた屑１５を回収している。尚、屑１６は、第１の固定ブラシ１２のところまで到達していないので、回収されていない。
【００５４】
図７（ｃ）は、図７（ｂ）の状態から屑受皿８の後端部が第１の固定具ブラシ１２を通過する手前まで、屑受皿８が引き出された状態を示している。第１の屑収容箱１４の開口部は屑受皿８で塞がれずに開口している部分があり、可動ブラシ２３は制御板８ａが存在しない箇所であるため、第１の固定ブラシ１２とほぼ同じ向きに回動した状態となっている。屑１５は、屑受皿８の引き出しに伴って第１の固定ブラシ１２によって回収され続けている。また、回収された屑１５の中で第１の屑収容箱１４の開口部に位置しているものは、第１の屑収容箱１４に落とし込まれる。さらに、屑１６は屑受皿８の引き出しに伴って可動ブラシ２３によって回収されて、その回収された屑１６は第１の屑収容箱１４に落とし込まれる。
【００５５】
図７（ｄ）は、図７（ｃ）の状態から筐体２の収納位置に屑受皿８が戻されるまでの途中の状態を示している。第１の屑収容箱１４の開口部は屑受皿８で塞がれており、可動ブラシ２３は第１の固定ブラシ１２とほぼ同じ向きを維持した状態となっている。屑受皿８には、図７（ｃ）の状態で第１の屑収容箱１４に収容されなかった屑１５が残っている。屑１５は、屑受皿８の戻りに伴って可動ブラシ２３によって制御板８ａの存在する箇所まで押し戻される。従って、屑受皿８の後端部に残っていた屑１５は、屑受皿８の後端部より前側となる制御板８ａの存在する箇所へ移動するため、屑受皿８が収納位置に戻って行く途中で、筐体２の底面７に落下することを防ぐことができる。
【００５６】
図７（ｅ）は、図７（ｄ）の状態から筐体２の収納位置に屑受皿８が戻された状態を示している。第１の屑収容箱１４の開口部は屑受皿８で塞がれており、可動ブラシ２３は制御板８ａの上に回動した状態となっている。屑１５は制御板８ａの存在する箇所に移動しており、屑受皿８の後端部には残らないため、屑１５が筐体２の底面７に落下することを防ぐことができる。
【００５７】
〔実施形態３〕
第３の実施形態に係るオーブントースタ１ｂについて、図面を参照して説明すれば、以下の通りである。
【００５８】
図８は、本実施形態に用いられるオーブントースタ１ｂを示す側面方向から見た模式断面図である。また、図９は、本実施形態に用いられるオーブントースタ１ｂを示す上面方向から見た模式断面図である。
【００５９】
本実施形態は、屑受皿８の後端部側には、第３の回収部材となる第２の固定ブラシ１７、及び第２の固定ブラシ１７を筐体２に固定させるための第２の固定部材１７ａが設けられ、第２の固定ブラシ１７の下方には、上方に開口部を有する第２の屑収容部材となる第２の屑収容箱１８が設けられる点以外は実施形態１と同じである。
【００６０】
本実施形態では、第２の固定ブラシ１７は、その先端部１７ｂが屑受皿８と接触しており、屑１６を回収するための回収部材となる。そして、第２の固定ブラシ１７の先端部１７ｂが第２の屑収容箱１８の開口部の前縁よりも後側に位置しているため、屑１６を第２の屑収容箱１８に収容できるようになっている。尚、第２の固定ブラシ１７の先端部１７ｂは、第２の屑収容箱１８の開口部の前縁の真下に位置していても良い。さらに、第２の屑収容箱１８は、収容した屑１６を捨てることができるように底面７から取り外し可能となっている。さらに、第２の屑収容箱１８は、収容した屑１６の状態を視認できるように形成することが好ましい。例えば、第１の屑収容箱１４を透明部材で形成したり、視認窓を設ければ良い。
【００６１】
図９に示すように、第２の固定ブラシ１７の横幅Ｄは、屑受皿８の横幅Ａと同じ幅となっている。そのため、屑受皿８を収納位置から手前に引き出す場合、制御板８ａが第２の固定ブラシ１７に引っ掛かることなく、屑受皿８を引き出せる。尚、第２の固定ブラシ１７の横幅Ｄは、屑受皿８の横幅Ａ以下の幅であれば良い。また、第２の固定ブラシ１７は屑受皿８に接触しており、屑１６を回収することができるようになっている。
【００６２】
図１０は、本実施形態に用いられるオーブントースタ１ｂにおいて、屑受皿８を収納位置から引き出して元に戻すまでの屑１５及び屑１６の状態を説明するための図である。（ａ）〜（ｅ）の順番に時系列での状態を示している。
【００６３】
図１０（ａ）は、屑受皿８が筐体２の収納位置に収納された状態を示している。第１の屑収容箱１４は屑受皿８で塞がれており、第２の屑収容箱１８は屑受皿８で塞がれており、可動ブラシ１３は回動せずに制御板８ａの上に位置した状態となっている。屑受皿８の上には、屑１５及び屑１６が落下している。
【００６４】
図１０（ｂ）は、屑受皿８が筐体２の収納位置から途中まで引き出された状態を示している。第１の屑収容箱１４の開口部は屑受皿８で塞がれており、可動ブラシ１３は回動せずに制御板８ａの上に位置した状態となっている。屑１５は、屑受皿８の引き出しに伴って第１の固定ブラシ１２によって回収されている。また、第２の屑収容箱１８は屑受皿８で塞がれずに開口しており、屑１６は屑受皿８の引き出しに伴って第２の固定ブラシ１７によって回収されて、その回収された屑１６は第２の屑収容箱１８に落とし込まれる。
【００６５】
図１０（ｃ）は、図１０（ｂ）の状態から屑受皿８の後端部が第１の固定具ブラシ１２を通過する手前まで、屑受皿８が引き出された状態を示している。第１の屑収容箱１４の開口部は屑受皿８で塞がれずに開口している部分があり、可動ブラシ１３は制御板８ａが存在しない箇所にあるため、第１の固定ブラシ１２とほぼ同じ向きに回動した状態となっている。屑１５は、屑受皿８の引き出しに伴って第１の固定ブラシ１２によって回収され続けている。また、回収された屑１５は、屑受皿８の後端部までくると第１の屑収容箱１４に落とし込まれる。
【００６６】
図１０（ｄ）は、図１０（ｃ）の状態から筐体２の収納位置に屑受皿８が戻されるまでの途中の状態を示している。第１の屑収容箱１４の開口部は屑受皿８で塞がれており、可動ブラシ１３は第１の固定ブラシ１２とほぼ同じ向きを維持した状態となっている。屑受皿８には、図１０（ｃ）の状態で第１の屑収容箱１４に収容されなかった屑１５が残っている。屑１５は、屑受皿８の戻りに伴って可動ブラシ１３によって制御板８ａの存在する箇所まで押し戻される。従って、屑受皿８の後端部に残っていた屑１５は、屑受皿８の後端部より前側となる制御板８ａの存在する箇所へ移動するため、屑受皿８が収納位置に戻って行く途中で、筐体２の底面７に落下することを防ぐことができる。
【００６７】
図１０（ｅ）は、図１０（ｄ）の状態から筐体２の収納位置に屑受皿８が戻された状態を示している。第１の屑収容箱１４の開口部は屑受皿８で塞がれており、可動ブラシ１３は制御板８ａの上に戻った状態となっている。屑１５は制御板８ａの存在する箇所に移動しており、屑受皿８の後端部には残らないため、屑１５が筐体２の底面７に落下することを防ぐことができる。
【００６８】
尚、第２の固定ブラシ１７は１個に限定する必要はなく、複数個用いても良い。
【００６９】
また、第３の回収部材として第２の固定ブラシ１７を用いているが、それに限定する必要はなく、屑を回収できるものであれば良い。
【００７０】
以上、実施形態１〜実施形態３について具体的に説明を行ったが、本発明はそれらに限定されるものではない。上述した３つ実施形態にそれぞれ開示された技術的手段を適宜組み合せて得られる実施形態についても本発明の技術的範囲に含まれる。
【産業上の利用可能性】
【００７１】
本発明に係る加熱調理器は、オーブントースタ、電子レンジ、電子オーブン等の加熱調理器全般に広く適用することができる。
【符号の説明】
【００７２】
１  オーブントースタ
１ａ  オーブントースタ
１ｂ  オーブントースタ
２  筐体
３  前面カバー
３ａ  スイッチ・ダイヤル類
４  把手
５  ドア
６  回動軸
７  底板
８  屑受皿
８ａ  制御板
９  焼網
１０  ヒータ
１１  脚
１２  第１の固定ブラシ
１２ａ  第１の固定部材
１２ｂ  第１の固定ブラシの先端部
１３  可動ブラシ
１３ａ  回動軸
１３ｂ  可動ブラシの先端部
１４  第１の屑収容箱
１５  屑
１６  屑
１７  第２の固定ブラシ
１７ａ  第２の固定部材
１７ｂ  第２の固定ブラシの先端部
１８  第２の屑収容箱
２３  可動ブラシ
２３ａ  回動軸
２３ｂ  可動ブラシの先端部
【図１】
2014137197.tif 000003
【図２】
2014137197.tif 000004
【図３】
2014137197.tif 000005
【図４】
2014137197.tif 000006
【図５】
2014137197.tif 000007
【図６】
2014137197.tif 000008
【図７】
2014137197.tif 000009
【図８】
2014137197.tif 000010
【図９】
2014137197.tif 000011
【図１０】
2014137197.tif 000012
【図１１】
2014137197.tif 000013